(57)【要約】      （修正有）【課題】水分やカビ等の悪影響の少ない郵便集配用鞄を提供する。【解決手段】上部に開閉自在の開口部１１を有し、表面側生地１５と背面側生地１６と両側の襠部生地１７と底面部生地とから成る。前記表面側生地１５、背面側生地１６、襠部生地１７及び底面部生地としてターポリンを使用する。このターポリンは中間層に位置するポリエステル平織生地とその両側に位置するＰＶＣ層との三層構造からなる。更にターポリンの厚みを０．２５ｍｍから１．２ｍｍの範囲に、その中間層のポリエステル平織生地の糸の太さが２５０デニールから２０００デニールの範囲に、且つ当該糸の縦横の密度が１平方インチの範囲で１５本×１５本から２５本×２５本の範囲内とした。【選択図】図１
2017164354.tif 000002
【特許請求の範囲】
【請求項１】
上部に開閉自在の開口部を有し、表面側生地と背面側生地と両側の襠部生地と底面部生地とから構成された郵便集配用鞄において、
前記表面側生地、前記背面側生地、前記襠部生地及び前記底面部生地としてターポリンを使用したことを特徴とする郵便集配用鞄。  
【請求項２】
前記底面部生地は２枚の生地の間に芯材を配設したものから成り、前記芯材がその長手方向中央部で折曲する構成とし、又は、前記芯材を２枚使用してその長手方向中央部で折曲する構成としたことを特徴とする請求項１に記載の郵便集配用鞄。
【請求項３】
前記ターポリンが中間層に位置するポリエステル平織生地とその両側に位置するＰＶＣ層との三層構造からなることを特徴とする請求項１又は２に記載の郵便集配用鞄。
【請求項４】
前記ターポリンの厚みが０．２５ｍｍから１．２ｍｍの範囲にあり、その中間層に位置する前記ポリエステル平織生地の糸の太さが２５０デニールから２０００デニールの範囲にあり、且つ、当該糸の縦横の密度が１平方インチの範囲で１５本×１５本から２５本×２５本の範囲内であることを特徴とする請求項３に記載の郵便集配用鞄。
【請求項５】
前記襠部生地として皮革素材を用い、その他の前記表面側生地、前記背面側生地及び前記底面部生地としてターポリンを使用したことを特徴とする請求項１乃至４の何れか１項に記載の郵便集配用鞄。
【請求項６】
前記表面側生地又は背面側生地の内側にポケット部を形成し、このポケット部をメッシュ生地から形成し、そのポケット部の開口縁部に可撓性を有する帯状芯材を配設したことを特徴とする請求項１乃至５の何れか１項に記載の郵便集配用鞄。
【請求項７】
前記集配用鞄の開口部の背面側縁部に肩掛けベルトの両端部を連結するための一対の取付部を設けたことを特徴とする請求項１乃至６の何れか１項に記載の郵便集配用鞄。
【発明の詳細な説明】
【技術分野】
【０００１】
本発明は、自転車やミニバイク等を利用して郵便物の集配業務を行う郵便局員が使用する郵便集配用鞄の改良に関するものである。
【背景技術】
【０００２】
従来のこの種の郵便集配用鞄としては、上部にガマ口タイプの開閉自在の開口部が設けられ、肩掛けベルトが着脱自在に取り付けられる取付環が前記開口部の背面側縁部に設けられたボックス形状の鞄が使用されて来た。
また、内部には郵便物の引受証等の紙片を収納できるポケット部がその背面側生地の内側に設けられていた。
【０００３】
上記構成の郵便集配用鞄は、牛革製のものからなり、その強度と柔軟性から非常に長い間その形態が維持され続け、使用されて来たものであった。
下記特許文献に記載の郵便配達用かばんは、二輪車での集配用の鞄であって、二輪車に着脱自在に取り付けができるものであって、両手でハンドルを握ったままでも郵便物の宛名を確認できるものであり、その鞄の構造・構成に係るものである。
【先行技術文献】
【特許文献】
【０００４】
【特許文献１】実公昭６２−３７４５９号公報
【発明の概要】
【発明が解決しようとする課題】
【０００５】
本発明においては、郵便集配用鞄において、その構造というよりも、その鞄を構成する素材に着目して、改良を図ったものであり、従来の牛革製の集配用鞄においては、雨水に濡れた場合やカビ等の対策が行われておらず、雨に濡れた場合に従来の鞄であれば、鞄自体が水分を吸収してしまい郵便物が湿ってしまうとか、或いは濡れてしまうという問題があり、またこれにより鞄内部にカビが発生するという問題も生じていたのである。
【０００６】
そこで、本発明においては、まず雨等による水分からの悪影響を受けない鞄の提供を図ること。また、これによるカビ等の発生を防止することのできる鞄を提供することがその第一の課題となる。
この課題の解決のために、本発明においては、その鞄を構成する素材に着目し、皮革以外の最適な素材を発見することを課題としたのである。
同時に、この新たな素材の利用とともに、この新たな素材をどのように適用するのか、その耐水性やカビ抵抗性を良好に発揮させるための素材の適用範囲、堅牢性や柔軟性の保持等々を考慮することも本発明の課題となる。
【課題を解決するための手段】
【０００７】
上記課題を解決するために、本発明の第１のものは、上部に開閉自在の開口部を有し、表面側生地と背面側生地と両側の襠部生地と底面部生地とから構成された郵便集配用鞄において、前記表面側生地、前記背面側生地、前記襠部生地及び前記底面部生地としてターポリンを使用したことを特徴とする郵便集配用鞄である。
ここで、「ターポリン」というのは、中間に芯材としての繊維を挟むように両側に合成樹脂層でコーティングした三層構造の素材を意味している。
【０００８】
本発明の第２のものは、上記第１の発明において、前記底面部生地は２枚の生地の間に芯材を配設したものから成り、前記芯材がその長手方向中央部で折曲する構成とし、又は、前記芯材を２枚使用してその長手方向中央部で折曲する構成としたことを特徴とする郵便集配用鞄である。
【０００９】
本発明の第３のものは、上記第１又は第２の発明において、前記ターポリンが中間層に位置するポリエステル平織生地とその両側に位置するＰＶＣ層との３層構造からなることを特徴とする郵便集配用鞄である。
ここで、「ＰＶＣ」というのは、塩化ビニールを意味している。
【００１０】
本発明の第４のものは、上記第３の発明において、前記ターポリンの厚みが０．２５ｍｍから１．２ｍｍの範囲にあり、その中間層に位置する前記ポリエステル平織生地の糸の太さが２５０デニールから２０００デニールの範囲にあり、且つ、当該糸の縦横の密度が１平方インチの範囲で１５本×１５本から２５本×２５本の範囲内であることを特徴とする郵便集配用鞄である。
【００１１】
本発明の第５のものは、上記第１乃至第４の何れかの発明において、前記襠部生地として皮革素材を用い、その他の前記表面側生地、前記背面側生地及び前記底面部生地としてターポリンを使用したことを特徴とする郵便集配用鞄である。
【００１２】
本発明の第６のものは、上記第１乃至第５の何れかの発明において、前記表面側生地又は背面側生地の内面にポケット部を形成し、このポケット部をメッシュ生地から形成し、そのポケット部の開口縁部に可撓性を有する帯状芯材を配設したことを特徴とする郵便集配用鞄である。
【００１３】
本発明の第７のものは、上記何れかの発明において、前記集配用鞄の開口部の背面側縁部に肩掛けベルトの両端部を連結するための一対の取付部を設けたことを特徴とする郵便集配用鞄である。
【発明の効果】
【００１４】
本発明の第１のものにおいては、上部に開閉自在の開口部を有し、表面側生地と背面側生地と両側の襠部生地と底面部生地とから構成された郵便集配用鞄において、前記表面側生地、前記背面側生地、前記襠部生地及び前記底面部生地としてターポリンを使用したことを特徴とするものである。
これにより、柔軟性及び堅牢性において皮革と遜色のない、否それ以上の効果を有するターポリンが鞄を構成する全ての部分で使用され、尚且つ鞄全体の耐水性或いは防水性とカビ抵抗性等を向上させることができた。
【００１５】
ターポリンは、後に詳細な説明部分で説明するが、皮革とほぼ同等の柔軟性と堅牢性を有しており、その上、皮革と異なり保水性は全くなく、水分を吸収せず、全て弾いてしまうため、内部に水分が吸収されることがない。
雨水等で表面が濡れた場合には、タオルや雑巾で簡単に水分を拭い去ることができる。
そのために、カビの心配も少なく、カビ抵抗性を有しており、郵便物が濡れたり、郵便物にカビが付着したり、その匂いが付くという心配も少なくなるのである。
【００１６】
本発明の第２のものにおいては、上記効果に加え、鞄の底面部の構成をより限定したものであり、即ち、底面部生地は２枚の生地の間に芯材を配設したものから成り、前記芯材がその長手方向中央部で折曲する構成とし、又は、前記芯材を２枚に分割してその長手方向中央部で折曲する構成としたため、その底面部の強度を高め、不使用時にはその長手方向に折曲できるようにしたものである。
【００１７】
本発明の第３のものにおいては、前記表面側生地、背面側生地及び底面部生地として使用されたターポリンの構成を明確にしたものである。
即ち、当該ターポリンが、中間層に位置するポリエステル平織生地とその両側に積層するＰＶＣ層の三層構造からなることを明確にしたものである。
【００１８】
本発明の第４のものにおいては、使用される前記ターポリンの素材自体の構成を更に明確に限定したものである。
即ち、前記ターポリンの厚みが０．２５ｍｍから１．２ｍｍの範囲にあり、その中間層に位置する前記ポリエステル平織生地の糸の太さが２５０デニールから２０００デニールの範囲にあり、且つ、当該糸の縦横の密度が１平方インチの範囲で１５本×１５本から２５本×２５本の範囲内にあるものを使用している。
上記構成に属するターポリンが本発明に係る集配用鞄に適切なものとなり、上記効果を発揮することとなる。
【００１９】
本発明の第５のものにおいては、表面側生地と背面側生地との両側に配置される襠部生地のみ皮革素材を用いたものを特定したものである。
即ち、この襠部の部分は、頻繁に屈曲される部分であり、その柔軟性を考慮して皮革素材をも利用可能としたものである。
【００２０】
本発明の第６のものにおいては、鞄内部に設けられるポケット部を限定したものであり、即ち、前記表面側生地又は背面側生地の内面にポケット部を形成し、このポケット部をメッシュ生地から形成し、そのポケット部の開口縁部に可撓性を有する帯状芯材を配設したことを特徴とするものである。
メッシュ生地で形成したのは、ポケット内部を見通すことができるようにしたものであり、開口縁部に可撓性を有する帯状芯材を配設したのは、当該開口部が適切に封止されることを考慮したものである。
即ち、内部に引受証等の紙片を収納する際には、簡単にその全体が開口し、内部に紙片を収納した後、手を引き抜けば当該開口部が簡単に封止する構造を採用したものである。
【００２１】
本発明の第７のものにおいては、本発明に係る集配鞄に肩掛けベルトを取り付けるための連結環等の取付部を設けることができることを特定したものである。
これにより、本発明に係る郵便集配用鞄を郵便局員が肩に掛けた状態で郵便物を集配することができることとなるのである。
【図面の簡単な説明】
【００２２】
【図１】本発明の郵便集配用鞄に係る一実施形態の上端開口部を開放した状態の斜視説明図である。
【図２】上記実施形態に係る郵便集配用鞄を平面的に畳んだ状態の底面側から見た底面説明図である。
【発明を実施するための形態】
【００２３】
以下添付の図面と共に、本発明の一実施形態について説明する。
先ず本発明に係る郵便集配用鞄の構造及び形態について説明する。
図１は、本発明の郵便集配用鞄に係る一実施形態の上端開口部を開放した状態の斜視説明図である。
図２は、上記実施形態に係る郵便集配用鞄を平面的に畳んだ状態の底面側から見た底面説明図である。
【００２４】
本発明に係る郵便集配用鞄（以下単に「鞄」という。）１０は、上端に開口部１１が設けられた略ボックス形状の袋物形態から成るものである。
上端の開口部１１は、丁度ガマ口のように開閉する一対の略コ字形状の金属製の開口枠部１２、１３の両端部を軸着部１４、１４として相互に軸着して開閉自在に形成されている。
【００２５】
鞄１０は、表面側生地１５と、背面側生地１６と、これらを両側で接続する襠部生地１７、１７と底面部生地１８とから構成され、これらを相互に縫製することにより略ボックス形状の袋物形態となる。
【００２６】
開口部１１の開閉を行う上記開口枠部１２が表面側生地１２の側に配置され、上記開口枠部１３が背面側生地１３の側に配置される。
この表面側の開口枠部１２の略中央部に留め具２０が回動自在に設けられ、背面側の開口枠部１３の側には、肩掛けベルト等の両端部を連結できる取付部としの取付環２２、２２が設けられている。
【００２７】
上記留め具３０により、開口枠部１２と開口枠部１３を重ね合わせるように閉鎖して、留め具２０を回動させると、両枠部１２、１３が重ね合わされた状態に固定されるのである。
上記取付環２２には、両端部に係止部を設けた肩掛けベルトを連結することができるのである。
【００２８】
鞄１０の背面側生地１６の内側（内面）には、郵便物の引受証等の紙片を収納するポケット部２５が設けられ、このポケット部２５は、メッシュ生地から形成されており、その内部の紙片の存在を視認することができる。
【００２９】
このポケット部２５の上端開口縁部の内側には、可撓性を有する合成樹脂製の帯板状の芯材２６が内装されている。
この実施形態では、この芯材２６として、ベルポーレンを使用している。
これにより、ポケット部２５は、容易に開放され、紙片を収納した後は自然にその開口が封止されることとなる。
【００３０】
更に、鞄１０の底面部は、底面部生地１８を２枚重ねて使用し、その間に長方形の２枚の芯材２７、２７を内装している。
これらの芯材２７もベルポーレンを使用している。
これらの芯材２７により、底面部はこれら芯材２７の中間で、即ち底面部の長手方向略中央部で容易に折り曲げることが可能となる。
このように折曲可能としたのは、使用のし易さを考慮したものである。
【００３１】
上記芯材２７としては、１枚の芯材を使用して、その長手方向略中央部で折曲自在とすることにより実施することもできる。
そして、上記本発明に係る鞄１０においては、この鞄１０を構成する表面側生地１５、背面側生地１６、これら両者の生地を両側で接続する襠部生地１７、１７及び底面部生地１８として、ターポリンを使用するものである。
【００３２】
尚ここで、襠部生地１７として牛革等の皮革素材を使用してもよい。
というのも、この襠部の部分は、とりわけその柔軟性が要求されるために、この部分に皮革素材を使用して実施することも可能なのである。
従って、このようなターポリンと皮革素材とのコンビネーション又はハイブリッド構成によっても、本発明に係る鞄の堅牢性、柔軟性、防水性（水分非吸収性）、及びカビ抵抗性等々を付加することもできるからである。
【００３３】
従来の鞄では、その全てが革製であったため、水分の吸収とカビの発生等が避けられず、種々の問題が発生していたからである。
この問題を解決するために、本発明においては、その全ての構成生地をターポリンとし、或いはその一部である襠部生地のみを皮革素材とし、その他の構成生地の全てをターポリンとしたものである。
尚、後者の皮革とターポリンとのコンビネーション又はハイブリッド構成では、皮革とターポリンの両者の良い点を掛け合わせたものと言えるが、防水性やカビ抵抗性等の観点からは、その全ての素材をターポリンとした方が最適なものと言える。
【００３４】
ここで、ターポリンというのは、その中間部に芯材としてポリエステル平織生地を配し、その両側にＰＶＣ（塩化ビニール）のコーティング層を設けた三層構造から成るシート状素材である。
【００３５】
更に、上記ターポリンとしては、以下の範囲のものが相応しいものとなる。
即ち、ターポリンの厚みが０．２５ｍｍから１．２ｍｍの範囲にあり、その中間層に位置する上記ポリエステル平織生地の糸の太さが２５０デニールから２０００デニールの範囲にあり、且つ、当該糸の縦横の密度が１平方インチの範囲で１５本×１５本から２５本×２５本の範囲内にあるものである。
【００３６】
以下、ターポリンと皮革との強度試験、カビ抵抗度試験、吸水性等々に関する試験結果について説明する。
尚、試験は、一般財団法人ボーケン品質評価機構、大阪事業所に依頼した。
(1) 引張強さ（Ｎ）と引裂強さ（Ｎ）について
【００３７】
【表１】
2017164354.tif 000003
【００３８】
試験に際して、ターポリンは、厚み０．８ｍｍ、太さ１０００デニール、芯材のポリエステル平織生地の織り密度は２３本×２３本（１平方インチ当り）のものを使用し、牛革は厚み１．６ｍｍ（ウレタン３回塗り）のものを使用した（以下の各試験において同じである。）。
表１から、ターポリンにおいては、従来の牛革に比べ、引張りに強いことが解り、引裂きについては、ほぼ同等の強度を有していることが判明した。
【００３９】
(2) 摩擦（級）、摩耗強さ、及び吸水性について
【００４０】
【表２】
2017164354.tif 000004
【００４１】
表２から、摩擦試験においてもターポリンがよい成績を示し、吸水性においては、ターポリンはゼロであり、牛革では６２％の吸水率で大きな相違を示している。
摩耗強さ試験では、鞄の表面強さの試験となるが、何れも表面剥離の現象は出るが、牛革では剥離部分から水がしみ込んでしまうという問題が残るのである。
【００４２】
(3) カビ抵抗性について
＜試験方法＞  JIS Z 2911:2010  繊維製品の試験・湿式法
無機塩寒天培地上に試料を貼付し、下記４菌株の混合胞子懸濁液を噴霧する。
摂氏２６度プラス・マイナス２度、１４日間培養後、試料上のカビの生育を観察した。
＜試験菌株＞    Aspergillus niger NBRC 105649
Penicillium citrinum NBRC 6352
Chaetomium globosum NBRC 6347
Myrothecium verrucaria NBRC 6113
試験結果は、下記の表３の通りである。
【００４３】
【表３】
2017164354.tif 000005
【００４４】
上記の表３において、「＋」の表示はカビの生育があることを示し、その数が多くなるほど生育が著しいことを示している。
カビ抵抗性に関する表示に関しては、「０」は菌糸の発育が認めらない場合を示し、「１」はカビの生育が試料面積の１／３以内を示し、「２」はカビの生育が試料面積の１／３以上を示すものである。
【００４５】
このカビ抵抗性試験により、ターポリンの良好性がよく解り、とりわけ７日までの間のカビ抵抗性の効果が大きいことが判明した。
【００４６】
その他、染色堅牢度試験及び耐寒性試験も行った。
染色堅牢度試験においては、鞄内で郵便物が汚れないかの確認であり、その結果は、ターポリンの方が牛革よりもよい成績であった。
また、耐寒性試験においては、ＰＶＣを使用しているターポリンが不利と考えられていたが、その試験結果は、牛革とほぼ同等で変わりがないことが判明した。
【００４７】
尚、この耐寒性試験では、試験方法としてJIS-K-6772によって行い、摂氏−２０度にて５分間、２４．５Ｎの荷重を負荷して行い、上記のターポリン及び牛革共に異常が認められなかった。
【００４８】
以上の試験結果を踏まえ、本発明においては、その鞄の全構成生地としてターポリンを使用しているために、皮革の欠点を解消し、ターポリンの特性を最大限に発揮し、耐水性やカビ抵抗性を有するものとなっていることが判明した。
【００４９】
以上、本発明の実施形態について説明したが、本発明においては以下の通りその形態等を種々変更することができる。
まず、本発明に係る鞄においては、その襠部生地のみは、皮革製としてもよい。
鞄のサイズは、自由に設計することができる。
【００５０】
開口部を開閉する開口枠部に設けた留め具は、自由に設計変更することができ、両側の開口枠部を閉鎖して、これが開放されないよう固定できる留め具であれば、どのような形態であっても採用することができる。
【００５１】
肩掛けベルトを連結するための取付部も適宜必要に応じて設計変更することができる。
内部に設けたポケット部の大きさも自由に設計することができる。
【００５２】
上記した通り、襠部生地として皮革素材を使用する場合には、牛革以外にその他の動物の皮革であってもよく、その皮革の厚みも自由に設定することができる。
使用するターポリンも、その厚み、芯材となる繊維を構成する糸の太さ、織り密度等々は、上記した範囲内であれば、必要に応じて自由に選択して使用することができる。
【００５３】
以上、本発明は、その構成する生地としてターポリン素材を採用することにより、従来問題となっていた雨水対策及びカビ対策が講じられた郵便集配用鞄を提供することができたものである。
【符号の説明】
【００５４】
１０  郵便集配用鞄
１１  開口部
１２、１３  開口枠部  
１４  軸着部
１５  表面側生地
１６  背面側生地
１７  襠部生地
１８  底面部生地
２０  留め具
２２  取付環
２５  ポケット部
２６、２７  芯材
【図１】
2017164354.tif 000006
【図２】
2017164354.tif 000007